(57)【要約】【課題】輸送時や保管時等において密閉性を維持することができ、また専用の設備を用いた移動や移載に対応するだけでなく、人手による移動や移載にも対応し、その上、積層した場合に高さ方向に嵩張ることのないパネル用梱包体を提供する。【解決手段】梱包体１０Ａは、箱体２０および蓋体３０からなる梱包箱を複数組備え、箱体２０のそれぞれに蓋体３０を個別に取付けて使用する第１使用状態と、箱体２０を重箱状に積層し、かつ最上段に位置する箱体に蓋体１０を取付けて使用する第２使用状態とをとり得る。箱体２０のそれぞれは、側面２０ｃに達するように下面に設けられた移載用の溝部を有する。第２使用状態において、最上段に位置する箱体２０の上面２０ａに蓋体３０が取付けられるとともに、箱体２０が重箱状に積層されることで形成される一対の側面２０ｃのそれぞれに残る蓋体３０が取付けられることにより、箱体２０の収容部２６のすべてが密閉される。【選択図】図１
2013032164.tif 000002
【特許請求の範囲】
【請求項１】
略直方体形状の箱体および略平板状の蓋体からなる梱包箱を複数組備えてなるパネル用梱包体であって、
前記複数組の梱包箱は、前記複数の箱体のそれぞれに前記複数の蓋体のそれぞれが個別に取付けられることで使用される第１使用状態と、前記複数の箱体が上下方向に重箱状に積層され、かつ最上段に位置する箱体に前記複数の蓋体のうちの少なくともいずれか１つが取付けられることで使用される第２使用状態とをとり、
前記複数の箱体の各々は、パネルを収容するための収容部と、パネルを出し入れするための上面開口部と、相対する一対の側面の少なくとも一方に達するように下面に設けられた移載用の溝部とを有し、
前記第１使用状態において、前記複数の箱体の上面のそれぞれに前記複数の蓋体のそれぞれが取付けられることにより、前記複数の収容部のいずれもが密閉され、
前記第２使用状態において、前記最上段に位置する箱体の上面に前記複数の蓋体のうちの少なくともいずれか１つが取付けられることにより、前記最上段に位置する箱体の収容部が密閉されるとともに、前記複数の箱体が重箱状に積層されることで形成される相対する一対の側面のそれぞれに前記複数の蓋体のうちの残る少なくともいずれか１つがそれぞれ取付けられることにより、当該一対の側面に位置する前記移載用の溝部の端部が閉塞され、これにより前記最上段に位置する箱体を除く前記複数の箱体の収容部のいずれもが密閉される、パネル用梱包体。
【請求項２】
前記第１使用状態において、前記複数の箱体の上面のそれぞれに前記複数の蓋体のそれぞれが嵌合固定されるように、前記複数の箱体の各々の上面に箱体側第１嵌合部が、前記複数の蓋体の各々の下面に蓋体側第１嵌合部が、それぞれ設けられ、
前記第２使用状態において、前記複数の箱体が重箱状に積層されるように、前記複数の箱体の各々の上面に箱体側第２嵌合部が、前記複数の箱体の各々の下面に箱体側第３嵌合部が、それぞれ設けられ、
前記第２使用状態において、前記複数の箱体が重箱状に積層されることで形成される相対する一対の側面のそれぞれに前記複数の蓋体がそれぞれ嵌合固定されるように、前記複数の箱体が重箱状に積層されることで形成される相対する一対の側面の各々に箱体側第４嵌合部が、前記複数の蓋体の下面の各々に蓋体側第２嵌合部が、それぞれ設けられている、請求項１に記載のパネル用梱包体。
【請求項３】
前記箱体側第１嵌合部および前記箱体側第４嵌合部が、同一形状に形成され、
前記蓋体側第１嵌合部および前記蓋体側第２嵌合部が、兼用可能に共通化されている、請求項２に記載のパネル用梱包体。
【請求項４】
前記蓋体側第１嵌合部および前記箱体側第３嵌合部が、同一形状に形成され、
前記箱体側第１嵌合部および前記箱体側第２嵌合部が、兼用可能に共通化されている、請求項２または３に記載のパネル用梱包体。
【請求項５】
前記複数の蓋体が積層された状態において、当該複数の蓋体同士が互いに嵌合固定されるように、前記複数の蓋体の各々の上面に蓋体側第３嵌合部が、前記複数の蓋体の各々の下面に蓋体側第４嵌合部が、それぞれ設けられている、請求項２から４のいずれかに記載のパネル用梱包体。
【請求項６】
前記箱体側第１嵌合部および前記蓋体側第３嵌合部が、同一形状に形成され、
前記蓋体側第１嵌合部および前記蓋体側第４嵌合部が、兼用可能に共通化されている、請求項５に記載のパネル用梱包体。
【請求項７】
前記複数組の梱包箱の数が、３個以上である、請求項１から６のいずれかに記載のパネル用梱包体。
【発明の詳細な説明】
【技術分野】
【０００１】
本発明は、表示装置用パネルや当該表示装置用パネルの一部品であるガラス基板等のパネルを梱包するためのパネル用梱包体に関し、より特定的には、箱体および蓋体からなる梱包箱を複数組備えてなるパネル用梱包体に関する。
【背景技術】
【０００２】
従来、液晶パネル、エレクトロルミネセンスパネルに代表される表示装置用パネルや当該表示装置用パネルの一部品であるガラス基板等のパネルを梱包するためのパネル用梱包体として、各種の構成のものが知られている。そのうちの一つとして、上面に開口部を有する箱体および当該開口部を閉塞するための蓋体からなる梱包箱を利用し、箱体の収容部にパネルおよび緩衝シートを交互に積層した状態で収容する構成のものがある（たとえば、特開２００７−８４１２４号公報（特許文献１）、特開２００７−３１４２３６号公報（特許文献２）、特開２００８−２３９２１０号公報（特許文献３）等参照）。
【０００３】
この箱体および蓋体からなる梱包箱は、一般に樹脂発泡体で形成されており、軽量化および耐衝撃性の観点において優位であり、また比較的廉価に製作できるメリットを有している。加えて、箱体および蓋体を嵌合可能に構成することにより、パネルが収容される収容部の密閉性を高く維持することも可能であり、輸送時や保管時等においてパネルに塵や埃といった異物が付着することも防止できるメリットがある。このように、箱体および蓋体からなる梱包箱を利用した構成のパネル用梱包体とすることにより、各種の利点を得ることができる。
【先行技術文献】
【特許文献】
【０００４】
【特許文献１】特開２００７−８４１２４号公報
【特許文献２】特開２００７−３１４２３６号公報
【特許文献３】特開２００８−２３９２１０号公報
【発明の概要】
【発明が解決しようとする課題】
【０００５】
しかしながら、上述した箱体および蓋体からなる梱包箱を利用した構成のパネル用梱包体とした場合には、輸送時や保管時等において、積層した梱包箱が高さ方向に嵩張ってしまう問題がある。これは、箱体に個別に蓋体が取付けられる構成であるため、蓋体の厚み分だけ余計に嵩が生じてしまうことによる。この問題は、パネルを小分けに梱包箱に収容するように構成した場合に特に顕著となり、所定体積当たりのパネルの収容数が減少し、輸送コストや保管コストが増大してしまう問題を招来する。
【０００６】
一方で、近年においては、各種表示装置の大型化が飛躍的に進んでおり、これに伴い表示装置用パネルや当該表示装置用パネルの一部品であるガラス基板等のパネルも大型のものが流通するようになってきている。このような大型のパネルを梱包箱に収容する場合には、パネルが梱包された状態における梱包箱の取扱いを容易とするために、パネルを小分けに梱包箱に収容する必要がある。すなわち、梱包箱に大量のパネルを梱包した場合には、梱包箱全体としての重量が大幅に増加してしまい、人手による梱包箱の移動や移載が事実上不可能になってしまう。
【０００７】
通常、パネルが梱包された状態における梱包箱の移動や移載には、フォークリフトや専用の移載装置等の設備が利用される場合が多い。しかしながら、場所によっては必ずしも当該設備が完備されているとは限らず、また仮に当該設備が完備されていた場合にも、人手による移動や移載が必要になる場合も十分に想定される。したがって、パネル用梱包体においては、専用の設備を用いた移動や移載に対応するだけでなく、人手による移動や移載にも対応している必要がある。
【０００８】
以上を考慮した場合には、箱体に個別に蓋体を設けることとせず、箱体同士を直接積層可能とする重箱状の構造を採用し、最上段に位置する箱体にのみ蓋体を取付ける構成とすることが考えられる。このように構成すれば、高さ方向において蓋体の占める厚みを大幅に減少させることができ、箱体にパネルを小分けに収容しつつ、パネル用梱包体が高さ方向に嵩張ることを抑制することができる。しかしながら、このような重箱状の構成を採用したパネル用梱包体とした場合には、別途以下の問題が生じてしまう。
【０００９】
第１に、箱体に個別に蓋体を設けない構成であるため、箱体を積層せずに保管等する場合に蓋体の数が足りず、箱体の収容部が露出してしまうこととなってパネルに異物が付着してしまうおそれがある。この問題は、蓋体を別途予め必要数準備しておき、これをパネルが梱包された梱包体とあわせて一緒に輸送するといった対策や、受け渡し場所等において蓋体を予め複数完備しておくといった対策をとれば解決するものではあるが、蓋体だけを輸送または保管等する必要が生じ、現実的には煩雑な管理が必要となってしまう。
【００１０】
第２に、梱包箱をフォークリフトや専用の移載装置等を利用して移動または移載させるためには支持アーム（フォーク）を挿入するための移載用の溝部を箱体の下面に側面にまで達するように形成しておく必要があるが、当該溝部を設けた箱体とした場合には、箱体を重箱状に積層した場合に、当該溝部を介して収容部が外部と直接連通してしまうことになり、輸送時や保管時等において塵や埃といった異物がパネルに付着してしまう問題が生じる。より具体的には、通常、箱体の下面には、相対する一対の側面に達するように上記移載用の溝部が設けられるが、当該箱体を重箱状に積層した場合には、下段に位置する箱体の収容部と、当該箱体の上段に位置する箱体の上記溝部が直接対面することにより、上記溝部の端部（すなわち、重箱状に積層された箱体の相対する一対の側面に位置する溝部の端部）が外部に露出してしまうことになり、当該露出した溝部の端部から異物が下段の箱体の収容部に混入してしまう問題が生じる。
【００１１】
このように、パネル用梱包体の構成としては、単に箱体を重箱状に積層可能にしただけでは十分とは言えず、さらなる改良が必要である。
【００１２】
したがって、本発明は、上述した問題を解決すべくなされたものであり、輸送時や保管時等においてパネルが収容される収容部の密閉性を維持することができ、また専用の設備を用いた移動や移載に対応するだけでなく、人手による移動や移載にも対応し、その上、積層した場合に高さ方向に嵩張ることのないパネル用梱包体を提供することを目的とする。
【課題を解決するための手段】
【００１３】
上述した問題を解決するために、本発明者らは、梱包箱の箱体の下面に移載用の溝部を設けるのではなく、梱包箱の底板部に側面から内側に向かって延びる中空状の穴部を設けることにより、箱体を重箱状に積層した場合にも上段の箱体の下面によって下段の上面開口部が完全に閉塞されるように構成することに着想した。しかしながら、当該構成を採用した場合には、箱体の底板部の厚みを相当程度分厚く形成する必要があり、その結果、分厚い底板部の分だけ高さ方向の厚みが嵩張ってしまう問題が生じてしまう。また、当該構成を採用した場合には、やはり蓋体を別途予め必要数準備しておき、これをパネルが梱包された梱包体とあわせて一緒に輸送するといった対策や、受け渡し場所等において蓋体を予め複数完備しておくといった対策が必要となり、上述した如くの煩雑な管理が必要となってしまう。
【００１４】
そのため、本発明者らは、箱体の数に応じた数の蓋体を予め準備しておき、箱体を重箱状に積層して使用しない場合には、これを個別に箱体に取付けて各箱体の内部に位置する収容部を密閉可能とし、箱体を重箱状に積層して使用する場合には、最上段に位置する箱体の上面に蓋体を取付けるとともに、積層後の箱体の相対する側面に残る余剰の蓋体を取付け、取付けた蓋体によって当該側面に位置する上記溝部の端部を閉塞することにより、、上記問題がすべて解消することに着想した。すなわち、本発明に基づくパネル用梱包体は、以下の特徴を備えている。
【００１５】
本発明に基づくパネル用梱包体は、略直方体形状の箱体および略平板状の蓋体からなる梱包箱を複数組備えてなるものである。上記複数組の梱包箱は、上記複数の箱体のそれぞれに上記複数の蓋体のそれぞれが個別に取付けられることで使用される第１使用状態と、上記複数の箱体が上下方向に重箱状に積層され、かつ最上段に位置する箱体に上記複数の蓋体のうちの少なくともいずれか１つが取付けられることで使用される第２使用状態とをとり得る。上記複数の箱体の各々は、パネルを収容するための収容部と、パネルを出し入れするための上面開口部と、相対する一対の側面の少なくとも一方に達するように下面に設けられた移載用の溝部とを有している。上記第１使用状態において、上記複数の箱体の上面のそれぞれに上記複数の蓋体のそれぞれが取付けられることにより、上記複数の収容部のいずれもが密閉される。また、上記第２使用状態において、上記最上段に位置する箱体の上面に上記複数の蓋体のうちの少なくともいずれか１つが取付けられることにより、上記最上段に位置する箱体の収容部が密閉されるとともに、上記複数の箱体が重箱状に積層されることで形成される相対する一対の側面のそれぞれに上記複数の蓋体のうちの残る少なくともいずれか１つがそれぞれ取付けられることにより、当該一対の側面に位置する上記移載用の溝部の端部が閉塞され、これにより上記最上段に位置する箱体を除く上記複数の箱体の収容部のいずれもが密閉される。
【００１６】
上基本発明に基づくパネル用梱包体にあっては、上記複数の箱体の各々の上面に箱体側第１嵌合部が設けられており、上記複数の蓋体の各々の下面に蓋体側第１嵌合部が設けられている。これら箱体側第１嵌合部および蓋体側第１嵌合部が嵌合することにより、上記第１使用状態において、上記複数の箱体の上面のそれぞれに上記複数の蓋体のそれぞれが嵌合固定されることになる。
【００１７】
上記本発明に基づくパネル用梱包体にあっては、上記複数の箱体の各々の上面に箱体側第２嵌合部が設けられており、上記複数の箱体の各々の下面に箱体側第３嵌合部が設けられている。これら箱体側第２嵌合部および箱体側第３嵌合部が嵌合することにより、上記第２使用状態において、上記複数の箱体が重箱状に積層されることになる。
【００１８】
上記本発明に基づくパネル用梱包体にあっては、上記複数の箱体が重箱状に積層されることで形成される相対する一対の側面の各々に箱体側第４嵌合部が設けられており、上記複数の蓋体の下面の各々に蓋体側第２嵌合部が設けられている。これら箱体側第４嵌合部および蓋体側第２嵌合部が嵌合することにより、上記第２使用状態において、上記複数の箱体が重箱状に積層されることで形成される相対する一対の側面のそれぞれに上記複数の蓋体がそれぞれ嵌合固定されることになる。
【００１９】
上記本発明に基づくパネル用梱包体にあっては、上記箱体側第１嵌合部および上記箱体側第４嵌合部が同一形状に形成されていることが好ましい。その場合には、上記蓋体側第１嵌合部および上記蓋体側第２嵌合部が兼用可能に共通化できることになる。
【００２０】
上記本発明に基づくパネル用梱包体にあっては、上記蓋体側第１嵌合部および上記箱体側第３嵌合部が同一形状に形成されていることが好ましい。その場合には、上記箱体側第１嵌合部および上記箱体側第２嵌合部が兼用可能に共通化できることになる。
【００２１】
上記本発明に基づくパネル用梱包体にあっては、上記複数の蓋体の各々の上面に蓋体側第３嵌合部が設けられており、上記複数の蓋体の各々の下面に蓋体側第４嵌合部が設けられている。これら蓋体側第３嵌合部および蓋体側第４嵌合部が嵌合することにより、上記複数の蓋体が積層された状態において、当該複数の蓋体同士が互いに嵌合固定されることになる。
【００２２】
上記本発明に基づくパネル用梱包体にあっては、上記箱体側第１嵌合部および上記蓋体側第３嵌合部が同一形状に形成されていることが好ましい。その場合には、上記蓋体側第１嵌合部および上記蓋体側第４嵌合部が兼用可能に共通化できることになる。
【００２３】
上記本発明に基づくパネル用梱包体にあっては、上記複数組の梱包箱の数が、３個以上であることが好ましい。
【発明の効果】
【００２４】
本発明によれば、輸送時や保管時等においてパネルが収容される収容部の密閉性を維持することができ、また専用の設備を用いた移動や移載に対応するだけでなく、人手による移動や移載にも対応し、その上、積層した場合に高さ方向に嵩張ることのないパネル用梱包体とすることができる。
【図面の簡単な説明】
【００２５】
【図１】本発明の実施の形態１における梱包体において、箱体を重箱状に積層した状態で使用する場合の概略部分分解斜視図である。
【図２】本発明の実施の形態１における梱包体の梱包箱を個別に使用する場合の概略斜視図である。
【図３】本発明の実施の形態１における梱包体の梱包箱を個別に使用する場合の概略斜視図である。
【図４】本発明の実施の形態１における梱包体において、箱体を重箱状に積層した状態で使用する場合の概略斜視図および模式断面図である。
【図５】本発明の実施の形態１における梱包体の他の使用例において、箱体を重箱状に積層した状態で使用する場合の概略斜視図および模式断面図である。
【図６】本発明の実施の形態２における梱包体において、箱体を重箱状に積層した状態で使用する場合の模式断面図である。
【図７】本発明の実施の形態３における梱包体において、箱体を重箱状に積層した状態で使用する場合の概略部分分解斜視図である。
【図８】本発明の実施の形態３における梱包体において、箱体を重箱状に積層した状態で使用する場合の概略斜視図および模式断面図である。
【図９】本発明の実施の形態３における梱包体の他の使用例において、箱体を重箱状に積層した状態で使用する場合の概略斜視図および模式断面図である。
【図１０】本発明の実施の形態４における梱包体において、箱体を重箱状に積層した状態で使用する場合の概略部分分解斜視図である。
【図１１】本発明の実施の形態５における梱包体において、箱体を重箱状に積層した状態で使用する場合の概略部分分解斜視図である。
【発明を実施するための形態】
【００２６】
以下、本発明の実施の形態について、図を参照して詳細に説明する。以下に示す実施の形態においては、パネル用梱包体として、液晶パネルを梱包するための梱包体を例示して説明を行なう。なお、液晶パネルとは、一対の平板状の板ガラスの間に液晶が充填されてなる液晶表示装置用のサブアセンブリのことである。
【００２７】
（実施の形態１）
図１は、本発明の実施の形態１における梱包体において、箱体を重箱状に積層した状態で使用する場合の概略部分分解斜視図であり、図２および図３は、図１に示す梱包箱を個別に使用する場合の概略斜視図である。また、図４は、本実施の形態における梱包体において、箱体を重箱状に積層した状態で使用する場合の構造を示す図である。なお、図２は、梱包箱を斜め上方から見下ろした状態を示す概略斜視図であり、図３は、梱包箱を斜め下方から見上げた状態を示す斜視図である。また、図４（Ａ）は、梱包体を斜め上方から見下ろした状態を示す概略斜視図であり、図４（Ｂ）は、図４（Ａ）中に示すＩＶＢ−ＩＶＢ線に沿った模式断面図である。
【００２８】
図１ないし図４に示すように、本実施の形態における梱包体１Ａは、箱体２０および蓋体３０からなる複数組の梱包箱１０を備えている。図示する梱包体１Ａは、梱包箱１０を３組備えており、箱体２０および蓋体３０は、合計でそれぞれ３つずつ具備している。これら箱体２０および蓋体３０は、いずれも樹脂発泡体にて形成されており、たとえば発泡スチロール（発泡ポリスチレン）等にて形成されている。
【００２９】
図２および図３に示すように、箱体２０は、略直方体形状を有しており、上面２０ａ、下面２０ｂおよび２組の相対する一対の側面を含んでいる。一方、図２および図３に示すように、蓋体３０は、略平板状の形状を有しており、主として上面３０ａおよび下面３０ｂを含んでいる。
【００３０】
箱体２０の上面２０ａには、液晶パネル１００および緩衝シート２００を出し入れするための上面開口部２１が設けられている。また、箱体２０は、液晶パネル１００および緩衝シート２００を収容するための収容部２６を内部に有している。液晶パネル１００および緩衝シート２００は、これらが相互に積層された状態で上記収容部２６に収容される。なお、収容部２６に収容される液晶パネル１００の枚数は、液晶パネル１００のサイズ等によっても異なるが、当該液晶パネル１００が梱包された状態における梱包箱１０の総重量が重くなり過ぎないようにするために、数枚〜数十枚程度とされ、特に大型のものを梱包する場合には、数枚〜十数枚程度とされる。
【００３１】
箱体２０の下面２０ｂには、嵌合凸部２２と、移載用の溝部２５とが設けられている。嵌合凸部２２は、箱体２０の下面２０ｂから下方に向けて突出するように形成されており、その形状は、箱体２０を下方から見た場合に移載用の溝部２５が形成された部分を除いて全体として略矩形状とされている。移載用の溝部２５は、箱体２０の下面２０ｂから上方に向けて凹むように形成されており、箱体２０の上記２組の相対する一対の側面のうち、その幅が長い方の１組の一対の側面２０ｃの両方に達するように、箱体２０の下面２０ｂの短手方向に沿って延びている。なお、箱体２０の下面２０ｂに設けられた移載用の溝部２５は、フォークリフトや専用の移載装置等の支持アーム（フォーク）を挿入するためのものであり、図示する如く箱体２０の下面２０ｂの２箇所に設けられていることが好ましい。
【００３２】
箱体２０の側面２０ｃには、上述した溝部２５の端部２４が位置しているとともに、嵌合凹部２３が設けられている。本実施の形態における梱包体１Ａにおいては、この嵌合凹部２３が梯子状に形成された溝によって構成されている。より具体的には、嵌合凹部２３は、箱体２０の側面２０ｃの両端部近傍に位置する合計２本の縦溝と、箱体２０の側面２０ｃの上部および下部に位置する合計２本の横溝とを含んでおり、２本の横溝がその両端において２本の縦溝に繋がっている。また、２本の縦溝は、箱体２０の上面２０ａおよび下面２０ｂに達するように設けられている。
【００３３】
蓋体３０の下面３０ｂには、嵌合凸部３２が設けられている。嵌合凸部３２は、蓋体３０の下面３０ｂから下方に向けて突出するように形成されており、その形状は、蓋体３０を下方から見た場合に矩形の枠状とされている。
【００３４】
蓋体３０の上面３０ａには、嵌合凹部３１が設けられている。嵌合凹部３１は、蓋体３０の上面３０ａから下方に向けて凹むように形成されており、その形状は、蓋体３０を上方から見た場合に矩形の枠状とされている。
【００３５】
図２および図３に示すように、梱包体１Ａに含まれる複数組の梱包箱１０を個別に使用する第１使用状態においては、箱体２０の上面２０ａに蓋体３０が取付けられる。その際、箱体２０の上面２０ａに設けられた上面開口部２１に蓋体３０の下面３０ｂに設けられた嵌合凸部３２を嵌合させることにより、梱包箱１０が密閉された状態となり、箱体２０の収容部２６が外部と非連通となることで塵や埃といった異物の混入が防止できる。
【００３６】
ここで、箱体２０の上面２０ａに設けられた上面開口部２１は、箱体側第１嵌合部に相当し、蓋体３０の下面３０ｂに設けられた嵌合凸部３２は、蓋体側第１嵌合部に相当する。したがって、箱体２０および蓋体３０にこれら箱体側第１嵌合部としての上面開口部２１および蓋体側第１嵌合部としての嵌合凸部３２を設けることにより、箱体２０の上面２０ａに蓋体３０を嵌合固定することが可能になる。
【００３７】
なお、この第１使用状態においては、箱体２０の下面２０ｂに設けられた嵌合凸部２２、箱体２０の側面２０ｃに設けられた嵌合凹部２３、および蓋体３０の上面３０ａに設けられた嵌合凹部３１は、特に他の部位に嵌合させて用いられることはない。
【００３８】
一方、図１および図４（Ａ）に示すように、梱包体１Ａに含まれる箱体２０を重箱状に積層して使用する第２使用状態においては、複数の箱体２０が上下方向に直接積層されることで重箱状に積層され、かつ最上段に位置する箱体２０の上面２０ａに蓋体３０が取付けられるとともに、複数の箱体２０が重箱状に積層されることで形成される相対する一対の側面２０ｃのそれぞれに蓋体３０が取付けられる。
【００３９】
その際、図４（Ｂ）に示すように、複数の箱体２０同士にあっては、下段に位置する箱体２０の上面２０ａに設けられた上面開口部２１に上段に位置する箱体２０の下面２０ｂに設けられた嵌合凸部３２が嵌合される。また、最上段に位置する箱体２０とその上面２０ａに取付けられる蓋体３０とにあっては、最上段に位置する箱体２０の上面２０ａに設けられた上面開口部２１に蓋体３０の下面３０ｂに設けられた嵌合凸部３２が嵌合される。さらに、複数の箱体２０が重箱状に積層されることで形成される相対する一対の側面２０ｃとこれら側面２０ｃにそれぞれ取付けられる蓋体３０とにあっては、当該一対の側面２０ｃのそれぞれに形成された嵌合凹部２３に蓋体３０の下面３０ｂに設けられた嵌合凸部３２が嵌合される。
【００４０】
これにより、最上段に位置する箱体２０の収容部２６は、箱体２０と蓋体３０とによって密閉された状態となり、外部と非連通となることで塵や埃といった異物の混入が防止できる。一方、最上段に位置する箱体２０を除く複数の箱体２０の収容部２６は、複数の箱体２０が重箱状に積層されることで形成される相対する一対の側面２０ｃのそれぞれに蓋体３０が取付けられることで移載用の溝部２５の端部２４が閉塞されることになるため、上段に位置する箱体２０の下面２０ｂとこの一対の側面２０ｃをそれぞれ覆うように取付けられた蓋体３０とによって密閉された状態となり、外部と非連通となることで塵や埃といった異物の混入が防止できる。
【００４１】
ここで、箱体２０の上面２０ａに設けられた上面開口部２１は、箱体側第２嵌合部に相当し、箱体２０の下面２０ｂに設けられた嵌合凸部２２は、箱体側第３嵌合部に相当する。したがって、箱体２０にこれら箱体側第２嵌合部としての上面開口部２１および箱体側第３嵌合部としての嵌合凸部２２を設けることにより、箱体２０同士を重箱状に積層して嵌合固定することが可能になる。なお、本実施の形態における梱包体１Ａにおいては、上記蓋体側第１嵌合部としての嵌合凸部３２と、上記箱体側第３嵌合部としての嵌合凸部２２とが同一形状とされているため、箱体２０に設けるべき上記箱体側第１嵌合部および上記箱体側第２嵌合部が、箱体２０の上面２０ａに設けられた１つの上面開口部２１によって兼用可能に共通化されている。
【００４２】
また、複数の箱体２０が重箱状に積層されることで形成される相対する一対の側面２０ｃのそれぞれに設けられた嵌合凹部２３は、箱体側第４嵌合部に相当し、蓋体３０の下面３０ｂに設けられた嵌合凸部３２は、蓋体側第２嵌合部に相当する。したがって、箱体２０および蓋体３０にこれら箱体側第４嵌合部としての嵌合凹部２３および蓋体側第２嵌合部としての嵌合凸部３２を設けることにより、複数の箱体２０が重箱状に積層されることで形成される相対する一対の側面２０ｃにそれぞれ蓋体３０を嵌合固定することが可能になる。なお、本実施の形態における梱包体１Ａにおいては、上記箱体側第１嵌合部としての嵌合凹部２３と、上記箱体側第４嵌合部としての嵌合凹部２３とが同一形状とされているため、蓋体３０に設けるべき上記蓋体側第１嵌合部および上記蓋体側第２嵌合部が、蓋体３０の下面３０ｂに設けられた１つの嵌合凸部３２によって兼用可能に共通化されている。
【００４３】
なお、この第２使用状態においても、蓋体３０の上面３０ａに設けられた嵌合凹部３１は、特に他の部位に嵌合させて用いられることはない。
【００４４】
以上において説明した本実施の形態の如くの梱包体１Ａとすることにより、箱体２０に個別に蓋体３０を取付けて使用する第１使用状態と、箱体２０を重箱状に積層した状態で使用する第２使用状態のいずれをも採用することが可能な梱包体とすることができる。その際、第１使用状態においては、箱体２０に個別に蓋体３０が取付け可能となるため、いずれの梱包箱１０においても収容部２６の密閉性を高く維持することができ、また、第２使用状態においても、上段に位置する箱体２０の上面開口部２１を閉塞するために使用する蓋体３０以外の余剰の蓋体３０を用いて、重箱状に積層した箱体２０の側面２０ｃに位置する移載用の溝部２５の端部２４を閉塞することが可能となるため、積層した箱体２０の収容部２６をすべて密閉することができる。したがって、いずれの使用状態を採用した場合にも、液晶パネル１００に塵や埃といった異物が付着することが確実に防止でき、輸送および保管に適した使用状態を適宜選択することが可能な使い勝手のよい梱包体とすることができる。
【００４５】
また、上記構成の梱包体１Ａとすることにより、第２使用状態においても、第１使用状態を選択した場合に必要となる数の蓋体３０を漏れなく使用する構成であるため、蓋体３０だけを別途輸送または保管等する必要がなく、煩雑な管理を行うことも一切不要になる。
【００４６】
また、上記構成の梱包体１Ａとすることにより、第２使用状態を採用した場合にも、最上段に位置する箱体２０の上面２０ａに取付けられる蓋体３０のみが梱包体１Ａの高さ方向において存在することになり、梱包体１Ａが高さ方向に嵩張ることが抑制できる。したがって、所定体積当たりのパネルの収容数を高めることができ、輸送コストや保管コストを削減することができる。
【００４７】
さらには、上記構成の梱包体１Ａとすることにより、フォークリフトや専用の移載装置等の設備を用いた移動や移載に対応するだけでなく、箱体２０に小分けに液晶パネル１００を収容する構成とできるため、人手による移動や移載にも対応した梱包体とすることができる。
【００４８】
このように、本実施の形態の如くの梱包体１Ａとすることにより、輸送時や保管時等においてパネルが収容される収容部の密閉性を維持することができ、また専用の設備を用いた移動や移載に対応するだけでなく、人手による移動や移載にも対応し、その上、積層した場合に高さ方向に嵩張ることのない梱包体とすることができる。
【００４９】
なお、上記構成の梱包体１Ａとすることにより、第２使用状態において、重箱状に積層された箱体２０同士が互いに嵌合固定されるのみならず、相対する一対の側面２０ｃに取付けられた蓋体によっても間接的に嵌合固定されることになるため、輸送時および保管時等に荷崩れ等が生じることが防止できる副次的な効果を得ることもできる。
【００５０】
以上においては、梱包体１Ａが３組の梱包箱１０を一纏まりとして具備してなる場合を例示して説明を行なったが、同様の構造および形状の梱包箱１０を４組利用して梱包体１Ａを構成した場合にも、上述した効果と同様の効果を得ることができる。以下においては、梱包体１Ａに４組の梱包箱１０を一纏まりとして具備させた場合の使用例について説明する。
【００５１】
図５は、本実施の形態における梱包体の他の使用例において、箱体を重箱状に積層した状態で使用する場合の構造を示す図である。なお、図５（Ａ）は、梱包体を斜め上方から見下ろした状態を示す概略斜視図であり、図５（Ｂ）は、図５（Ａ）中に示すＶＢ−ＶＢ線に沿った模式断面図である。
【００５２】
図５（Ａ）および図５（Ｂ）に示すように、本使用例においては、梱包体１Ａが、箱体２０および蓋体３０をそれぞれ合計で４つずつ具備している。上述した第２使用状態においては、４つの箱体２０が重箱状に積層されるとともに、最上段に位置する箱体２０の上面に２つの蓋体３０が積層されて取付けられており、４つの箱体２０が重箱状に積層されることで形成される相対する一対の側面２０ｃにそれぞれ残る蓋体３０が１つずつ取付けられている。
【００５３】
上記第２使用状態においては、４つの箱体２０が重箱状に積層されることで形成される相対する一対の側面２０ｃに取付けられたそれぞれの蓋体３０により、当該側面２０ｃに位置する移載用の溝部２５の端部２４のうち、最下段に位置する箱体２０に設けられた移載用の溝部２５の端部２４を除くすべてが閉塞されることになる。したがって、積層された４つの箱体２０の内部に位置するすべての収容部２６が密閉された状態となるため、上述した梱包体１Ａに３組の梱包箱１０を具備させた場合と同様の効果を得ることができる。
【００５４】
なお、最上段に位置する箱体２０の上面に取付けられた２つの蓋体３０は、上述したように積層した状態で取付けられている。より具体的には、下側に位置する蓋体３０の上面３０ａに設けられた嵌合凹部３１に上側に位置する蓋体３０の下面３０ｂに設けられた嵌合凸部３２が嵌合することにより、２つの蓋体３０が積層されている。
【００５５】
ここで、蓋体３０の上面３０ａに設けられた嵌合凹部３１は、蓋体側第３嵌合部に相当し、蓋体３０の下面３０ｂに設けられた嵌合凸部３２は、蓋体側第４嵌合部に相当する。したがって、蓋体３０にこれら蓋体側第３嵌合部としての嵌合凹部３１および蓋体側第４嵌合部としての嵌合凸部３２を設けることにより、蓋体３０同士を積層して嵌合固定することが可能になる。なお、本実施の形態における梱包体１Ａにおいては、上記箱体側第１嵌合部としての上面開口部２１と、上記蓋体側第３嵌合部としての嵌合凹部３１とが同一形状とされているため、蓋体３０に設けるべき上記蓋体側第１嵌合部および上記蓋体側第４嵌合部が、蓋体３０の下面３０ｂに設けられた１つの嵌合凸部３２によって兼用可能に共通化されている。
【００５６】
以上においては、最上段に位置する箱体２０の上面に２つの蓋体３０を積層した状態で取付けた場合を例示して説明を行なったが、４つの箱体２０が重箱状に積層されることで形成される相対する一対の側面２０ｃのいずれかに２つの蓋体３０を積層した状態で取付けることとしてもよい。
【００５７】
（実施の形態２）
図６は、本発明の実施の形態２における梱包体において、箱体を重箱状に積層した状態で使用する場合の構造を示す模式断面図である。なお、上述した本発明の実施の形態１における梱包体と同様の部分については図中同一の符号を付し、その説明は繰り返さない。
【００５８】
上述した本発明の実施の形態１における梱包体１Ａは、３組の梱包箱１０が一纏まりとして使用されることを前提に、付加的に４組の梱包箱１０が一纏まりとして使用可能に構成されたものである。これに対し、本実施の形態における梱包体１Ｂは、４組の梱包箱１０が一纏まりとして使用されることが前提に構成されたものである。
【００５９】
図６に示すように、本実施の形態における梱包体１Ｂは、箱体２０および蓋体３０からなる４組の梱包箱１０を備えており、箱体２０および蓋体３０は、合計でそれぞれ４つずつ具備している。箱体２０の側面には、上述した本発明の実施の形態１における梱包体１Ａの場合と同様に、梯子状の溝にて構成されれた嵌合凹部２３が設けられているが、その形状が上記梱包体１Ａとは異なっている。すなわち、本実施の形態における梱包体１Ｂにおいては、箱体２０の側面の両端部近傍に位置する合計２本の縦溝と、箱体２０の側面の上下方向の略中央部に位置する１本の横溝とを含んでおり、これら２本の縦溝と１本の横溝からなる嵌合凹部２３は、平面視略Ｈ字状とされている。
【００６０】
本実施の形態における梱包体１Ｂにおいて箱体２０を重箱状に積層して使用する第２使用状態においては、上記箱体２０が積層されることで形成される相対する一対の側面に位置することとなる上記嵌合凹部２３に蓋体３０の下面に設けられた嵌合凸部３２が嵌合されることになる。このように、本実施の形態における梱包体１Ｂにおいては、予め４組の梱包箱１０が一纏まりとして使用されることが前提とされているため、重箱状に積層された箱体２０の側面に取付けられる蓋体３０が、積層された４つすべての箱体２０に対して嵌合固定されることになる。
【００６１】
このように構成した場合にも、上記箱体２０が積層されることで形成される相対する一対の側面に位置する移載用の溝部２５の端部２４が蓋体３０によって閉塞されることになるため、積層された４つすべての箱体２０の収容部２６が密閉されることになる。したがって、本実施の形態の如くの梱包体１Ｂとした場合にも、上述した本発明の実施の形態１において説明した効果と同様の効果を得ることができる。
【００６２】
なお、さらに詳細に説明することは省略するが、一纏まりとされる梱包箱１０の数としては、第２使用状態において最上段に位置する箱体２０の上面開口部２１を閉塞するための蓋体３０と、同じく第２使用状態において箱体２０が積層されることで形成される一対の側面に取付けられる一対の蓋体３０とが少なくとも必要であるため、最小で３つとされる。また、一纏まりとされる梱包箱１０の数がｎ個（ただし、ｎは３以上の自然数）とされた場合には、上述した本発明の実施の形態１の如くの構成を採用することで、ｎ個の梱包箱１０を一纏まりとして使用する場合の他、ｎ＋１個の梱包箱１０を一纏まりとして使用することも可能である。
【００６３】
（実施の形態３）
図７は、本発明の実施の形態３における梱包体において、箱体を重箱状に積層した状態で使用する場合の概略部分分解斜視図であり、図８は、当該状態で使用する場合の構造を示す図である。なお、図８（Ａ）は、梱包体を斜め上方から見下ろした状態を示す概略斜視図であり、図８（Ｂ）は、図７（Ａ）中に示すＶＩＩＩＢ−ＶＩＩＩＢ線に沿った模式断面図である。なお、上述した本発明の実施の形態１における梱包体と同様の部分については図中同一の符号を付し、その説明は繰り返さない。
【００６４】
図７、図８（Ａ）および図８（Ｂ）に示すように、本実施の形態における梱包体１Ｃは、上述した本発明の実施の形態１における梱包体１Ａと大部分において共通するものであり、箱体２０の側面２０ｃに設けられた嵌合凹部２３、蓋体３０の下面３０ｂに設けられた嵌合凸部３２、および蓋体３０の上面３０ａに設けられた嵌合凹部３１の形状においてのみ相違している。
【００６５】
より詳細には、本実施の形態における梱包体１Ｃにおいては、箱体２０の側面２０ｃの両端部近傍を除く部分のすべてを凹ませることで嵌合凹部２３が形成されており、そのため、箱体２０の下面２０ｂに設けられた移載用の溝部２５の端部２４は、箱体２０の側面２０ｃに相当する嵌合凹部２３の底面にまで達した状態とされている。また、蓋体３０の下面３０ｂに設けられた嵌合凸部３２は、蓋体３０の下面３０ｂの周縁を除く部分のすべてを突出させることで平面視矩形状に形成されている。一方、蓋体３０の上面３０ａに設けられた嵌合凹部３１は、蓋体３０の下面３０ｂの周縁を除く部分のすべてを凹ませることで平面視矩形状に形成されている。
【００６６】
図７および図８（Ａ）に示すように、梱包体１Ｃに含まれる箱体２０を重箱状に積層して使用する第２使用状態においては、複数の箱体２０が上下方向に直接積層されることで重箱状に積層され、かつ最上段に位置する箱体２０の上面２０ａに蓋体３０が取付けられるとともに、複数の箱体２０が重箱状に積層されることで形成される相対する一対の側面２０ｃのそれぞれに蓋体３０が取付けられる。
【００６７】
その際、図８（Ｂ）に示すように、複数の箱体２０同士にあっては、下段に位置する箱体２０の上面２０ａに設けられた上面開口部２１に上段に位置する箱体２０の下面２０ｂに設けられた嵌合凸部３２が嵌合される。また、最上段に位置する箱体２０とその上面２０ａに取付けられる蓋体３０とにあっては、最上段に位置する箱体２０の上面２０ａに設けられた上面開口部２１に蓋体３０の下面３０ｂに設けられた嵌合凸部３２が嵌合される。さらに、複数の箱体２０が重箱状に積層されることで形成される相対する一対の側面２０ｃとこれら側面２０ｃにそれぞれ取付けられる蓋体３０とにあっては、複数の箱体２０が重箱状に積層されることで形成される相対する一対の側面２０ｃのそれぞれに形成された嵌合凹部２３に蓋体３０の下面３０ｂに設けられた嵌合凸部３２が嵌合される。
【００６８】
したがって、上述した本実施の形態における梱包体１Ｃの如くの構成を採用した場合にも、上述した本発明の実施の形態１において説明した効果と同様の効果を得ることができる。
【００６９】
以上においては、梱包体１Ｃが３組の梱包箱１０を一纏まりとして具備してなる場合を例示して説明を行なったが、同様の構造および形状の梱包箱１０を４組利用して梱包体１Ａを構成した場合にも、上述した効果と同様の効果を得ることができる。以下においては、梱包体１Ｃに４組の梱包箱１０を一纏まりとして具備させた場合の使用例について説明する。
【００７０】
図９は、本実施の形態における梱包体の他の使用例において、箱体を重箱状に積層した状態で使用する場合の構造を示す図である。なお、図９（Ａ）は、梱包体を斜め上方から見下ろした状態を示す概略斜視図であり、図９（Ｂ）は、図９（Ａ）中に示すＩＸＢ−ＩＸＢ線に沿った模式断面図である。
【００７１】
図９（Ａ）および図９（Ｂ）に示すように、本使用例においては、梱包体１Ｃが、箱体２０および蓋体３０をそれぞれ合計で４つずつ具備している。上述した第２使用状態においては、４つの箱体２０が重箱状に積層されるとともに、最上段に位置する箱体２０の上面に２つの蓋体３０が積層されて取付けられており、４つの箱体２０が重箱状に積層されることで形成される相対する一対の側面２０ｃにそれぞれ残る蓋体３０が１つずつ取付けられている。
【００７２】
ここで、複数の箱体２０が重箱状に積層されることで形成される相対する一対の側面２０ｃに位置することとなる嵌合凹部２３の全体としての形状は、図示する如く平面視矩形状となる。そのため、蓋体３０は、当該側面２０ｃの上下方向の任意の位置に取付けが可能であり、この取付け位置を適宜調整することにより、当該側面２０ｃに位置する移載用の溝部２５の端部２４のうち、最下段に位置する箱体２０に設けられた移載用の溝部２５の端部２４を除くすべてが閉塞可能となる。したがって、積層された４つの箱体２０の内部に位置するすべての収容部２６が密閉された状態となるため、上述した梱包体１Ｃに３組の梱包箱１０を具備させた場合と同様の効果を得ることができる。
【００７３】
（実施の形態４）
図１０は、本発明の実施の形態４における梱包体において、箱体を重箱状に積層した状態で使用する場合の概略部分分解斜視図である。なお、上述した本発明の実施の形態１における梱包体と同様の部分については図中同一の符号を付し、その説明は繰り返さない。
【００７４】
図１０に示すように、本実施の形態における梱包体１Ｄは、上述した本発明の実施の形態１における梱包体１Ａと大部分において共通するものであり、箱体２０の側面２０ｃに設けられた嵌合凹部２３、蓋体３０の下面３０ｂに設けられた嵌合凸部３２、および蓋体３０の上面３０ａに設けられた嵌合凹部３１の形状においてのみ相違している。
【００７５】
より詳細には、本実施の形態における梱包体１Ｄにおいては、箱体２０の側面２０ｃの周縁を除く部分のすべてを凹ませることで平面視矩形状に嵌合凹部２３が形成されている。また、蓋体３０の下面３０ｂに設けられた嵌合凸部３２は、互いに並行するように平面視矩形状に３列設けられている。一方、蓋体３０の上面３０ａに設けられた嵌合凹部３１は、互いに並行するように平面視矩形状に３列設けられている。
【００７６】
このように構成した場合にも、第２使用状態において、複数の箱体２０が重箱状に積層されることで形成される相対する一対の側面２０ｃのそれぞれに形成された嵌合凹部２３に蓋体３０の下面３０ｂに設けられた嵌合凸部３２が嵌合されることになり、当該側面２０ｃに位置する移載用の溝部２５の端部２４のうち、最下段に位置する箱体２０に設けられた移載用の溝部２５の端部２４を除くすべてが閉塞可能となる。したがって、上述した本発明の実施の形態１において説明した効果と同様の効果を得ることができる。
【００７７】
（実施の形態５）
図１１は、本発明の実施の形態５における梱包体において、箱体を重箱状に積層した状態で使用する場合の概略部分分解斜視図である。なお、上述した本発明の実施の形態１における梱包体と同様の部分については図中同一の符号を付し、その説明は繰り返さない。
【００７８】
図１１に示すように、本実施の形態における梱包体１Ｅは、上述した本発明の実施の形態１における梱包体１Ａと大部分において共通するものであり、箱体２０の側面２０ｃに設けられた嵌合凹部２３、蓋体３０の下面３０ｂに設けられた嵌合凸部３２、および蓋体３０の上面３０ａに設けられた嵌合凹部３１の形状においてのみ相違している。
【００７９】
より詳細には、本実施の形態における梱包体１Ｅにおいては、箱体２０の側面２０ｃの水平方向の両端部近傍および略中央部を凹ませることで平面視円形状に嵌合凹部２３が形成されている。また、蓋体３０の下面３０ｂに設けられた嵌合凸部３２は、行列状に設けれており、個々の嵌合凸部３２は、平面視円状に形成されている。一方、蓋体３０の上面３０ａに設けられた嵌合凹部３１は、行列状に設けれており、個々の嵌合凹部３１は、平面視円状に形成されている。
【００８０】
このように構成した場合にも、第２使用状態において、複数の箱体２０が重箱状に積層されることで形成される相対する一対の側面２０ｃのそれぞれに形成された嵌合凹部２３に蓋体３０の下面３０ｂに設けられた嵌合凸部３２が嵌合されることになり、当該側面２０ｃに位置する移載用の溝部２５の端部２４のうち、最下段に位置する箱体２０に設けられた移載用の溝部２５の端部２４を除くすべてが閉塞可能となる。したがって、上述した本発明の実施の形態１において説明した効果と同様の効果を得ることができる。
【００８１】
以上において説明した本発明の実施の形態１ないし５における梱包体においては、箱体および蓋体を嵌合固定するための嵌合部、箱体同士を嵌合固定するための嵌合部、および蓋体同士を嵌合固定するための嵌合部を可能な限り共通化することにより、箱体および蓋体に設ける嵌合部の数を最小限とした場合を例示した。しかしながら、必ずしもこのように構成する必要はなく、上記嵌合部を共通化せずに個別に設けることとしてもよい。また、箱体および蓋体のいずれに嵌合凸部または嵌合凹部を設けるかも特に制限されるものではない。加えて、嵌合凸部および嵌合凹部の形状や数、大きさ等も特に制限されるものではなく、上述した本発明の実施の形態１ないし５における形状や数、大きさ等に限定されるものではない。
【００８２】
また、以上において説明した本発明の実施の形態１ないし５においては、梱包体として液晶パネルを梱包するためのものを例示して説明を行なったが、本発明は、液晶パネルの一部品であるガラス基板や有機エレクトロルミネセンスパネル等の種々のパネルを梱包するためのパネル用梱包体に適用することが可能である。
【００８３】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００８４】
１Ａ〜１Ｅ  梱包体、１０  梱包箱、２０  箱体、２０ａ  上面、２０ｂ  下面、２０ｃ  側面、２１  嵌合凹部、２２  嵌合凸部、２３  嵌合凹部、２４  端部開口部、２５  溝部、２６  収容部、３０  蓋体、３０ａ  上面、３０ｂ  下面、３１  嵌合凹部、３２  嵌合凸部、１００  パネル、２００  緩衝シート。
【図１】
2013032164.tif 000003
【図２】
2013032164.tif 000004
【図３】
2013032164.tif 000005
【図４】
2013032164.tif 000006
【図５】
2013032164.tif 000007
【図６】
2013032164.tif 000008
【図７】
2013032164.tif 000009
【図８】
2013032164.tif 000010
【図９】
2013032164.tif 000011
【図１０】
2013032164.tif 000012
【図１１】
2013032164.tif 000013